(57)【要約】【課題】キー溝を有するグラビアシリンダの印刷装置へのチャック固定を容易にし、端面の自動洗浄装置での洗浄を可能にする。【解決手段】テーパーコーン部（２）と、  テーパーコーン部（２）の側面の周方向に沿って複数配置され該側面を形成し該側面における周方向の幅がグラビアシリンダのキー溝の周方向の幅よりも小さい密閉金具（６）と、  密閉金具（６）をテーパーコーン部（２）の半径方向に沿ってテーパーコーン部（２）の中心軸から遠ざける力を密閉金具（６）に加える手段（３，４，５）とを備えることを特徴とするチャッキングコーン。【選択図】図１
2017140704.tif 000002
【特許請求の範囲】
【請求項１】
テーパーコーン部と、
テーパーコーン部の側面の周方向に沿って複数配置され該側面を形成し該側面における周方向の幅がグラビアシリンダのキー溝の周方向の幅よりも小さい密閉金具と、
密閉金具をテーパーコーン部の半径方向に沿ってテーパーコーン部の中心軸から遠ざける力を密閉金具に加える手段とを備えることを特徴とするチャッキングコーン。
【請求項２】
前記手段は、エアシリンダと、弾性体のチューブと、エアシリンダのピストンロッドが伸びるとチューブを押して変形させるチューブ押し戻しバーとを備え、チューブの変形から戻ろうとする力によって、密閉金具をテーパーコーン部の半径方向に沿ってテーパーコーン部の中心軸から遠ざける力を密閉金具に加えることを特徴とする請求項１記載のチャッキングコーン。
【発明の詳細な説明】
【技術分野】
【０００１】
本発明は、チャッキングコーンに関する。
【背景技術】
【０００２】
一般に、グラビアシリンダは、中空構造の円筒の外周にミクロン単位のセルと呼ばれる凹部が形成されたもので、グラビアシリンダには、図４に示すグラビアシリンダ１０１のように、シャフトがなく、その両側に、端面１０２と、端面１０２の中央に、チャック部１０３と呼ばれる円形状の孔と、この孔の一箇所にキー溝１０４とを有するものがある（例えば特許文献１参照）。
【０００３】
そして、このようなグラビアシリンダ１０１でグラビア印刷を行う印刷装置は、円筒形状のシャフト１０６とキー１０８を付随している円錐台形状のテーパーコーン部１０７とを有する一対のチャッキングコーン１０５を備え、これら一対のチャッキングコーン１０５のテーパーコーン部１０７を、人手で、グラビアシリンダ１０１の両側のチャック部１０３に近付け、図５に示すように、キー１０８とキー溝１０４とを目視にて位置合わせし嵌めるとともに、テーパーコーン部１０７をチャック部１０３に嵌めて、グラビアシリンダ１０１をチャック固定してグラビア印刷を行う。このチャック固定によって、図５及び図６の網点で示すように、チャック部１０３は、これに嵌め込まれたテーパーコーン部１０７で密閉され、図５及び図６の斜線で示すように、キー溝１０４は、これに嵌め込まれたキー８で密閉される。
【０００４】
このように、印刷装置が備えるチャッキングコーン１０５で、グラビアシリンダ１０１をチャック固定するには、キー１０８とキー溝１０４とを目視にて位置合わせて人手で嵌める必要があるために、作業効率が悪いという問題がある。
【０００５】
また、一般に、グラビアシリンダは、印刷後も廃棄されず、自動洗浄装置で洗浄され、不要となったセルが削り落とされ、製版で再利用される。
【０００６】
自動洗浄装置は、グラビア印刷装置に比べ低速かつ低トルクにてグラビアシリンダを回転させることができるので、図７に示すように、円筒形状のシャフト１０６と密閉パッキン１０９を付随している円錐台形状のテーパーコーン部１０７とを有する一対のチャッキングコーン１１０を備え、ロボット若しくはローダーにより、これら一対のチャッキングコーン１１０のテーパーコーン部１０７を、グラビアシリンダ１０１の両側のチャック部１０３に近付け、テーパーコーン部１０７をチャッキング部１０３に嵌めるとともに、密閉パッキン１０９をキー溝１０４と端面１０２とに覆い被せて、チャック固定して洗浄を行う。このチャック固定によって、図８及び図９の網点で示すように、チャック部１０３は、これに嵌め込まれたテーパーコーン部１０７で密閉され、図８及び図９の斜線で示すように、キー溝１０４は、これに覆い被せられた密閉パッキン１０９で密閉され、図８及び図９の格子で示すように、端面１０２の密閉パッキン１０９が覆い被された部分も、この密閉パッキン１０９で密閉される。
【０００７】
このように、自動洗浄装置が備えるチャッキングコーン１１０は、密閉パッキン１０９をキー溝１０４と端面１０２とに覆い被せて、チャック固定して洗浄を行うので、キー溝１０４と、端面１０２の密閉パッキン１０９が覆い被された部分とは洗浄が不可能である。
【０００８】
しかしながら、グラビアシリンダを製版で再利用するには、端面１０２のキー溝１０４
周辺に付着したインキを除去することが必須であり、人手による洗浄作業を行うか、若しくは、端面１０２へのインキ付着防止策が必要であるという問題がある。
【先行技術文献】
【特許文献】
【０００９】
【特許文献１】登録実用新案第３００９９２７号公報
【発明の概要】
【発明が解決しようとする課題】
【００１０】
本発明は、このような事情を考慮してなされたもので、キー溝を有するグラビアシリンダの印刷装置へのチャック固定を容易にし、端面の自動洗浄装置での洗浄を可能にすることを課題とする。
【課題を解決するための手段】
【００１１】
本発明において上記課題を解決するために、まず請求項１の発明では、
テーパーコーン部と、
テーパーコーン部の側面の周方向に沿って複数配置され該側面を形成し該側面における周方向の幅がグラビアシリンダのキー溝の周方向の幅よりも小さい密閉金具と、
密閉金具をテーパーコーン部の半径方向に沿ってテーパーコーン部の中心軸から遠ざける力を密閉金具に加える手段とを備えることを特徴とするチャッキングコーンとしたものである。
【００１２】
また、請求項２の発明では、
前記手段は、エアシリンダと、弾性体のチューブと、エアシリンダのピストンロッドが伸びるとチューブを押して変形させるチューブ押し戻しバーとを備え、チューブの変形から戻ろうとする力によって、密閉金具をテーパーコーン部の半径方向に沿ってテーパーコーン部の中心軸から遠ざける力を密閉金具に加えることを特徴とする請求項１記載のチャッキングコーンとしたものである。
【発明の効果】
【００１３】
請求項１の発明は、テーパーコーン部を、グラビアシリンダの両側のチャック部に嵌めて、密閉金具をテーパーコーン部の半径方向に沿ってテーパーコーン部の中心軸から遠ざける力を密閉金具に加えると、キー溝に対向する箇所の密閉金具が、テーパーコーン部の側面から盛り上がってキー溝に嵌り、テーパーコーン部の側面から盛り上がってキー溝に嵌った密閉金具がキーの役割を果たすことになって、キー溝を有するグラビアシリンダのチャック固定を容易できるという効果がある。
【００１４】
請求項２の発明は、テーパーコーン部を、グラビアシリンダの両側のチャック部に嵌めて、エアシリンダにピストンロッドが伸びるように空気を供給すると、キー溝に対向する箇所の密閉金具が、テーパーコーン部の側面から盛り上がってキー溝に嵌り、テーパーコーン部の側面から盛り上がってキー溝に嵌った密閉金具がキーの役割を果たすことになるって、キー溝を有するグラビアシリンダのチャック固定を容易できるという効果がある。
【００１５】
請求項１及び請求項２の発明は、グラビアシリンダをチャック固定したとき、グラビアシリンダのチャック部とキー溝とを密閉するだけで、グラビアシリンダの端面は開放されたままにできて、自動洗浄装置で、グラビアシリンダの端面を、キー溝周辺の部分も含めて洗浄できるという効果がある。
【００１６】
従って、本発明は、キー溝を有するグラビアシリンダの印刷装置へのチャック固定を容
易にし、端面の自動洗浄装置での洗浄を可能にできるという効果がある。
【図面の簡単な説明】
【００１７】
【図１】ピストンロッドが縮んだ状態の本発明のチャッキングコーンを説明する図であって、（ａ）は、中心軸を含む面で切断した場合の断面図、（ｂ）は、テーパーコーン部側から透視した場合の透視図。
【図２】本発明のチャッキングコーンを、中心軸を含む面で切断した場合の断面図であって、ピストンロッドが縮んだ状態から、ピストンロッドを伸ばしたときに加わる力の方向を説明する図。
【図３】本発明のチャッキングコーンのテーパーコーン部を、グラビアシリンダのチャッキング部に嵌め、ピストンロッドが縮んだ状態から、ピストンロッドを伸ばしたときの、テーパーコーン部側から透視した場合の透視図。
【図４】グラビアシリンダをグラビア印刷装置にチャック固定するためにグラビアシリンダの両側から従来のチャッキングコーンを近付けている様子を説明する斜視図。
【図５】グラビアシリンダをグラビア印刷装置に従来のチャッキングコーンでチャック固定するためのキー溝へのキーの位置合わせとチャック固定したときに密閉される部分とを説明する斜視図。
【図６】グラビアシリンダをグラビア印刷装置に従来のチャッキングコーンでチャック固定したときに密閉される部分を説明する側面図。
【図７】グラビアシリンダを自動洗浄装置にチャック固定するためにグラビアシリンダの両側から従来のチャッキングコーンを近付けている様子を説明する斜視図。
【図８】グラビアシリンダを自動洗浄装置に従来のチャッキングコーンでチャック固定したときに密閉される部分を説明する斜視図。
【図９】グラビアシリンダを自動洗浄装置に従来のチャッキングコーンでチャック固定したときに密閉される部分を説明する側面図。
【発明を実施するための形態】
【００１８】
以下に、本発明の一実施形態を説明する。
【００１９】
本発明のチャッキングコーンは、図１（ａ）に示すように、円筒形状のシャフト１と円錐台形状のテーパーコーン部２とを備える。
【００２０】
テーパーコーン部２は、図１（ａ）に示すように、底面部８と密閉金具６と先端部９とを備え、密閉金具６は、図１（ｂ）に示すように、底面部８と先端部９との間の側面の周方向に沿って複数配置されて、この側面を形成し、この側面における周方向の個々の密閉金具６の幅は、グラビアシリンダ１０１のキー溝１０４の周方向の幅よりも小さくなっている。
【００２１】
また、密閉金具６は、半径方向に、一定の可動域を有し、この可動域の範囲内で、中心軸から遠ざかったり、中心軸に近づいたりすることができる。
【００２２】
一方、シャフト１は、図１（ａ）に示すように、その内部に、ピストンロッド３ａが、中心軸に沿って、テーパーコーン部２側に伸び、シャフト１側に縮むエアシリンダ３を備える。
【００２３】
そして、図１（ａ）に示すように、シャフト１及びテーパーコーン部２は、それらの内部のエアシリンダ３よりもテーパーコーン部２側に、内径が一定で、外径がテーパーコーン部２側よりもシャフト１側が大きい、中心軸に沿って移動するチューブ押し戻しバー４を備え、シャフト１は、その内部に、ピストンロッド３ａとチューブ押し戻しバー４とを接続する連結器７を備える。
【００２４】
そして、テーパーコーン部２は、図１（ａ）及び（ｂ）に示すように、底面部８と密閉金具６と先端部９とチューブ押し戻しバー４との間に挟まれてチューブ５を備える。
【００２５】
チューブ５は、外力によって自在に変形し、その外力が除かれた時、元の形に戻る性質を有する円筒形状の弾性体であって、チューブ押し戻しバー４に密着している。
【００２６】
本発明のチャッキングコーンは、ピストンロッド３ａが縮んだ状態で、エアシリンダ３にピストンロッド３ａを伸ばすように空気を供給して、ピストンロッド３ａを伸ばすと、図２の斜線の矢印で示すように、チューブ押し戻しバー４は、中心軸に沿って、テーパーコーン部２側に移動する。チューブ押し戻しバー４の外径がテーパーコーン部２側よりもシャフト１側が大きいので、このチューブ押し戻しバー４は、この移動によって、チューブ５を押して、チューブ５の体積が縮むように、チューブ５を変形させる。チューブ５は、弾性体であるが故に、縮んだ体積を元に戻そうとして、図２の白の矢印で示すように、密閉金具６を、半径方向に、中心軸から遠ざけるような力を、密閉金具６に加える。
【００２７】
この結果、本発明のチャッキングコーンのテーパーコーン部２を、ピストンロッドが縮んだ状態で、グラビアシリンダ１０１のチャッキング部１０３に嵌めて、エアシリンダ３にピストンロッド３ａを伸ばすように空気を供給すると、図３に示すように、キー溝１０４に対向する箇所の密閉金具６が、テーパーコーン部２の側面から盛り上がってキー溝１０４に嵌り、テーパーコーン部２の側面から盛り上がってキー溝１０４に嵌った密閉金具６がキーの役割を果たすことになる。
【００２８】
尚、本発明のチャッキングコーンにおいて、ピストンロッド３ａが伸びた状態から、エアシリンダ３にピストンロッド３ａを縮むように空気を供給して、ピストンロッド３ａを縮めると、チューブ押し戻しバー４は、中心軸に沿って、シャフト１側に移動して、チューブ５を変形していた押す力が取り除かれるので、チューブ５は元の形に戻る。
【００２９】
このように、本発明のチャッキングコーンで、グラビアシリンダ１０１をチャック固定するには、一対の本発明のチャッキングコーンのテーパーコーン部２を、ピストンロッドが縮んだ状態で、グラビアシリンダ１０１の両側のチャック部１０３に嵌めて、エアシリンダ３にピストンロッド３ａを伸ばすように空気を供給するだけで済み、キーとキー溝とを目視にて位置合わせて人手で嵌める必要はない。
【００３０】
また、図３から明らかなように、本発明のチャッキングコーンで、グラビアシリンダ１０１をチャック固定したとき、本発明のチャッキングコーンは、グラビアシリンダ１０１のチャック部１０３とキー溝１０４とを密閉するだけで、グラビアシリンダ１０１の端面１０２は開放されたままである。
【００３１】
この結果、本発明のチャッキングコーンを自動洗浄機に用いてグラビアシリンダ１０１をチャック固定すれば、グラビアシリンダ１０１の端面１０２が、キー溝１０４周辺の部
分も含めて洗浄されて、人手による洗浄作業も、端面１０２へのインキ付着防止策も不要になる。
【符号の説明】
【００３２】
１…シャフト
２…テーパーコーン部
３…エアシリンダ
３ａ…ピストンロッド
４…チューブ押し戻しバー
５…チューブ
６…密閉金具
７…連結器
８…底面部
９…先端部
１０１…グラビアシリンダ
１０２…端面
１０３…チャッキング部
１０４…キー溝
１０５…チャッキングコーン（印刷装置用）
１０６…シャフト
１０７…テーパーコーン部
１０８…キー
１０９…密閉パッキング
１１０…チャッキングコーン（自動洗浄装置用）
【図１】
2017140704.tif 000003
【図２】
2017140704.tif 000004
【図３】
2017140704.tif 000005
【図４】
2017140704.tif 000006
【図５】
2017140704.tif 000007
【図６】
2017140704.tif 000008
【図７】
2017140704.tif 000009
【図８】
2017140704.tif 000010
【図９】
2017140704.tif 000011